(57)【要約】【課題】  片手で操作できる挟持具を提供する。【解決手段】  一端に枢設ロッドを有する貫通孔が形成され、該貫通孔の両側の下側に押圧ブロックが設けられ、中段の下側に係止孔を有する平行の係止ブロックが設けられる上部と、一端に上部の貫通孔を貫通する係止ブロックが設けられ、該係止ブロックの下側に枢設ロッドと対応する凹部が形成され、中段の上側に該係止ブロックの方向へ開口する位置決め溝を有する位置決めブロックが設けられる下部と、開口端に該位置決めブロックの位置決め溝に移動可能であると共に、係止ブロックの係止孔に係合可能な係合ブロックが設けられ、内側に上部の枢設ロッドと押圧ブロックに対応して、夫々枢設凹部を有する挟持ブロックと弾性プレートが設けられるコ字形の制動プレートと、を備えることを特徴とする。【選択図】  図１
0003114914.tif 000002
【実用新案登録請求の範囲】
【請求項１】
一端に枢設ロッドを有する貫通孔が形成され、該貫通孔の両側の下側に押圧ブロックが設けられ、中段の下側に係止孔を有する平行の係止ブロックが設けられる上部と、
一端に上部の貫通孔を貫通する係止ブロックが設けられ、該係止ブロックの下側に枢設ロッドと対応する凹部が形成され、中段の上側に該係止ブロックの方向へ開口する位置決め溝を有する位置決めブロックが設けられる下部と、
開口端に該位置決めブロックの位置決め溝に移動可能であると共に、係止ブロックの係止孔に係合可能な係合ブロックが設けられ、内側に上部の枢設ロッドと押圧ブロックに対応して、夫々枢設凹部を有する挟持ブロックと弾性プレートが設けられるコ字形の制動プレートと、を備えることを特徴とする挟持具。
【請求項２】
前記制動プレートの係合ブロックの外側の上面にガイド斜面が形成され、両外側に押圧部が設けられることを特徴とする請求項１に記載の挟持具。
【請求項３】
前記制動プレートの係合ブロックと反対する一端にストラップなどを設置するための孔が形成されることを特徴とする請求項１又は２に記載の挟持具。
【考案の詳細な説明】
【技術分野】
【０００１】
本考案は、特に片手で操作できる挟持具に関するものである。
【背景技術】
【０００２】
携帯電話のストラップや財布にはよく挟持具が取付けられ、それを使用者の服に挟持することにより、携帯電話や財布の紛失を防止することができる。
【０００３】
図７に示すように、従来の挟持具は、一側に互いに平行する一対の側壁（７１）が設けられ、該二つの側壁（７１）の下端の間に傾斜状の弾性プレート（７２）が設けられ、該弾性プレート（７２）の一端に貫通孔（７３）が形成されると共に、他端に枢設ブロック（７４）が設けられる上部（７０）と、
前記上部（７０）と対応する形状を有し、一端に該上部（７０）の貫通孔（７３）を貫通する係止ブロック（８１）が設けられ、該係止ブロック（８１）に該上部（７０）の枢設ブロック（７４）と対応する枢設凹部（８２）が形成される下部（８０）と、
前記上部（７０）の側壁（７１）の間及び弾性プレート（７２）と係止ブロック（８１）との間に設けられ、一側に弾性プレート（７２）を押圧可能な制動ブロック（９１）が設けられると共に、他側にストラップ（符号なし）などを設置するための孔（９２）が形成され、中段の下側に枢設ブロック（７４）と対応する凹部（９３）が形成される制動プレート（９０）と、を備える。
【０００４】
図７及び図８に示すように、前記上部（７０）と下部（８０）を併合する場合、制動プレート（９０）と制動ブロック（９１）の下側が上部（７０）の弾性プレート（７２）を押圧し、挟持状態を解除する際、孔（９２）を有する制動プレート（９０）の一端を上方へ移動させると、弾性プレート（７２）が制動プレート（９０）を押圧することにより、上部（７０）と下部（８０）とを分解する。
【考案の開示】
【考案が解決しようとする課題】
【０００５】
しかしながら、上記従来の挟持具の開合を行う際、片手で行うことができなく、図８に示すように、両手で夫々上部（７０）、下部（８０）及び制動プレート（９０）を押圧する必要があるので、使用の利便性が優れない。
【０００６】
そこで、案出されたのが本考案であって、片手で操作できる挟持具を提供することを目的としている。
【課題を解決するための手段】
【０００７】
本願の請求項１の考案は、一端に枢設ロッドを有する貫通孔が形成され、該貫通孔の両側の下側に押圧ブロックが設けられ、中段の下側に係止孔を有する平行の係止ブロックが設けられる上部と、
一端に上部の貫通孔を貫通する係止ブロックが設けられ、該係止ブロックの下側に枢設ロッドと対応する凹部が形成され、中段の上側に該係止ブロックの方向へ開口する位置決め溝を有する位置決めブロックが設けられる下部と、
開口端に該位置決めブロックの位置決め溝に移動可能であると共に、係止ブロックの係止孔に係合可能な係合ブロックが設けられ、内側に上部の枢設ロッドと押圧ブロックに対応して、夫々枢設凹部を有する挟持ブロックと弾性プレートが設けられるコ字形の制動プレートと、を備えることを特徴とする挟持具、を提供する。
【０００８】
本願の請求項２の考案は、前記制動プレートの係合ブロックの外側の上面にガイド斜面が形成され、両外側に押圧部が設けられることを特徴とする請求項１に記載の挟持具、を提供する。
【０００９】
本願の請求項３の考案は、前記制動プレートの係合ブロックと反対する一端にストラップなどを設置するための孔が形成されることを特徴とする請求項１又は２に記載の挟持具、を提供する。
【考案の効果】
【００１０】
本考案は上記の課題を解決するものであり、片手で上部と下部の開合を制御することができるので、挟持具の使用利便性を向上することができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係る挟持具の斜視図であり、図２は本考案に係る挟持具の分解斜視図であり、図３は本考案に係る挟持具の挟持状態を示す上面断面図であり、図４は本考案に係る挟持具の開け状態を示す上面断面図であり、図５は本考案に係る挟持具の挟持状態を示す断面図であり、図６は本考案に係る挟持具の開け状態を示す断面図である。
【００１３】
図１及び図２に示すように、本考案に係る挟持具は、一端に枢設ロッド（１２）を有する貫通孔（１１）が形成され、該貫通孔（１１）の両側の下側に押圧ブロック（１３）が設けられ、中段の下側に係止孔（１５）を有する平行の係止ブロック（１４）が設けられる上部（１０）と、
一端に上部（１０）の貫通孔（１１）を貫通する係止ブロック（２１）が設けられ、該係止ブロック（２１）の下側に枢設ロッド（１２）と対応する凹部（２２）が形成され、中段の上側に係止ブロック（１４）の間に位置すると共に、係止ブロック（２１）の方向へ開口される位置決め溝（２４）を有する位置決めブロック（２３）が設けられる下部（２０）と、
開口端に該位置決めブロック（２３）の位置決め溝（２４）に移動すると共に、係止ブロック（１４）の係止孔（１５）に係合可能な係合ブロック（３１）が設けられ、該係合ブロック（３１）の外側の上面にガイド斜面（３１０）が形成され、両外側に押圧部（３２）が設けられると共に、内側に上部（１０）の枢設ロッド（１２）と押圧ブロック（１３）に対応して、夫々枢設凹部（３４）を有する挟持ブロック（３３）と弾性プレート（３５）が設けられ、該係合ブロック（３１）と反対する一端にストラップ（符号なし）などを設置するための孔（３６）が形成されるコ字形の制動プレート（３０）と、を備える。
【００１４】
図２、図３及び図５に示すように、上部（１０）と下部（２０）を併合する際、制動プレート（３０）の係合ブロック（３１）の外端が係止ブロック（１４）の係止孔（１５）に係合し、上部（１０）の押圧ブロック（１３）が制動プレート（３０）の弾性プレート（３５）を押圧し、係合ブロック（３１）の内端が位置決め溝（２４）内に位置されることにより、上部（１０）と下部（２０）を併合させる。
【００１５】
又、図２、図４及び図６に示すように、上部（１０）と下部（２０）を開けとしようとする場合、片手で制動プレート（３０）の両外側を押圧し、本実施例において、制動プレート（３０）の両外側における押圧部（３２）を押圧すると、係合ブロック（３１）を位置決め溝（２４）の内へ縮むと共に、該係合ブロック（３１）の外端が係止孔（１５）から脱出し、弾性プレート（３５）が上部（１０）の押圧ブロック（１３）を押圧することにより、上部（１０）が枢設ロッド（１２）を回転中心として上方へ回転する。
【００１６】
又、上部（１０）と下部（２０）を再び併合しようとする際、片手で直接に上部（１０）と下部（２０）を押圧すると、該係止ブロック（３１）がガイド斜面（３１０）によって再び係止孔（１５）に係合する。
【産業上の利用可能性】
【００１７】
本考案は上記の構成を有し、片手で上部と下部の開合を制御することができるので、挟持具の使用利便性を向上することができる。
【図面の簡単な説明】
【００１８】
【図１】本考案に係る挟持具の斜視図である。
【図２】本考案に係る挟持具の分解斜視図である。
【図３】本考案に係る挟持具の挟持状態を示す上面断面図である。
【図４】本考案に係る挟持具の開け状態を示す上面断面図である。
【図５】本考案に係る挟持具の挟持状態を示す断面図である。
【図６】本考案に係る挟持具の開け状態を示す断面図である。
【図７】従来の挟持具の分解斜視図である。
【図８】従来の挟持具の使用状態を示す断面図である。
【符号の説明】
【００１９】
１０  上部
１１  貫通孔
１２  枢設ロッド
１３  押圧ブロック
１４  係止ブロック
１５  係止孔
２０  下部
２１  係止ブロック
２２  凹部
２３  位置決めブロック
２４  位置決め溝
３０  制動プレート
３１  係合ブロック
３１０  ガイド斜面
３２  押圧部
３３  挟持ブロック
３４  枢設凹部
３５  弾性プレート
３６  孔
７０  上部
７１  側壁
７２  弾性プレート
７３  貫通孔
７４  枢設ブロック
８０  下部
８１  係止ブロック
８２  枢設凹部
９０  制動プレート
９１  制動ブロック
９２  孔
９３  凹部
【図１】
0003114914.tif 000003
【図２】
0003114914.tif 000004
【図３】
0003114914.tif 000005
【図４】
0003114914.tif 000006
【図５】
0003114914.tif 000007
【図６】
0003114914.tif 000008
【図７】
0003114914.tif 000009
【図８】
0003114914.tif 000010